(57)【要約】【課題】ねじ形コネクタにワンタッチ形コネクタを簡単容易に脱着することができるとともに、電気介在物を介在することなく両コネクタを電気的に接続する。【解決手段】雄ねじ部４を介したねじ結合により着脱自在にコネクタ連結されるねじ形コネクタ１と、溝１６または突起２３からなる係合部を介した係合により着脱自在にコネクタ連結されるワンタッチ形コネクタ２とを、互いにコネクタ接続する同軸コネクタの接続構造である。雄ねじ部４に雌ねじ部７を螺着させてアタッチメントスリーブ５をねじ形コネクタ１に外嵌螺着させた状態でワンタッチ形コネクタ２に内嵌する。前記係合部に前記被係合部を係合させてねじ形コネクタ１をワンタッチ形コネクタ２にコネクタ連結する。両コネクタ１、２の電気接続点を直接的に電気接続する。【選択図】        図１
2006147272.tif 000002
【特許請求の範囲】
【請求項１】
雄ねじ部を有し当該雄ねじ部を介したねじ結合により着脱自在にコネクタ連結されるねじ形コネクタと、内周に溝または突起からなる係合部を有し当該係合部を介した係合により着脱自在にコネクタ連結されるワンタッチ形コネクタとが、互いにコネクタ接続される同軸コネクタの接続構造であって、
前記雄ねじ部に螺合する雌ねじ部をその内周に有するとともに、前記係合部に着脱自在に係合する被係合部をその外周に有するアタッチメントスリーブを備え、
前記雄ねじ部に前記雌ねじ部を螺着させて前記アタッチメントスリーブが前記ねじ形コネクタに外嵌螺着され、当該ねじ形コネクタが、前記ワンタッチ形コネクタに内嵌され、前記係合部に前記被係合部が係合されて前記ねじ形コネクタが前記ワンタッチ形コネクタに脱着可能に連結され、かつ両コネクタの電気接続点どうしが直接的に電気接続される、
ことを特徴とする同軸コネクタの接続構造。
【請求項２】
請求項１記載の同軸コネクタ構造であって、
前記ワンタッチ形コネクタに回動自在に接続スリーブが設けられ、当該接続スリーブのスリーブ先端に、当該スリーブ先端に連続する鉤形の係合溝が設けられ、当該係合溝から前記係合部が構成され、
前記アタッチメントスリーブの外周にスタッドが突設され、当該スタッドから前記被係合部が構成され、
前記スタッドに前記係合溝を係合させることで両コネクタが連結される、
ことを特徴とする同軸コネクタの接続構造。
【請求項３】
請求項１記載の同軸コネクタの接続構造であって、
前記ワンタッチ形コネクタの内周に、径方向に沿って弾性的に拡縮変形自在にテーパリングが装着保持され、当該テーパリングから前記係合部が構成され、
前記ワンタッチ形コネクタに、コネクタ軸心方向に沿ってスライド可能に接続スリーブが設けられ、当該接続スリーブの内周に、当該接続スリーブのスライド移動により前記テーパリングに係合して当該テーパリングを拡縮させるテーパ面が設けられ、
前記アタッチメントスリーブの外周に環状溝が形成され、当該環状溝から前記被係合部が構成され、
前記テーパリングが縮径されて前記環状溝に係合されることで両コネクタが連結されるとともに、前記接続スリーブがスライド操作されて前記テーパリングに前記テーパ面が係合されて当該テーパリングが強制的に拡径変形されることで前記環状溝から離脱され、これにより両コネクタの連結が解除される、
ことを特徴とする同軸コネクタの接続構造。
【請求項４】
請求項１記載の同軸コネクタの接続構造であって、
前記ワンタッチ形コネクタに、コネクタ軸心方向に沿ってスライド可能に接続スリーブが設けられ、当該接続スリーブの先端部における周方向複数個所にコネクタ軸心方向への切り込みが形成されて接続スリーブ先端部が拡縮径変形可能に構成され、当該接続スリーブの内周に係合突起が設けられ、当該係合突起から前記係合部が構成され、
前記アタッチメントスリーブの端部から前記被係合部が構成され、
前記係合突起が前記アタッチメントスリーブの端部に係合されることで両コネクタが連結され、前記接続スリーブに操作スリーブが外嵌されるとともに、当該操作スリーブが、コネクタ軸心方向に沿って接続スリーブ先端部の拡径変形を阻止する前方位置と、接続スリーブ先端部の拡径変形を許容する後退位置とにスライド可能に取り付けられ、
前記接続スリーブと前記操作スリーブとの間に、当該操作スリーブを前記前方位置に弾性的に安定保持する係止部が設けられる、
ことを特徴とする同軸コネクタの接続構造。
【請求項５】
請求項４記載の同軸コネクタ構造であって、
前記係止部は、
前記操作スリーブの内周に形成された環状溝と、
前記環状溝に係入保持された弾性拡縮可能なバネリングと、
接続スリーブの外周に形成されて、前記操作スリーブが前記前方位置にあるときに前記バネリングが縮径して係合する係合溝と、
を備える、
ことを特徴とする同軸コネクタの接続構造。
【請求項６】
雄ねじ部を有し当該雄ねじ部を介したねじ結合により着脱自在にコネクタ連結されるねじ形コネクタと、内周に溝または突起からなる係合部を有し当該係合部を介した係合により着脱自在にコネクタ連結されるワンタッチ形コネクタとが、互いにコネクタ接続される際に、両コネクタの間に介装されるアタッチメントスリーブであって、
前記雄ねじ部に螺合する雌ねじ部をその内周に有するとともに、前記係合部に着脱自在に係合する被係合部をその外周に有し、
前記雄ねじ部に前記雌ねじ部を螺着させて当該アタッチメントスリーブが前記ねじ形コネクタに外嵌螺着されるとともに、当該ねじ形コネクタが、前記ワンタッチ形コネクタに内嵌され、前記係合部に前記被係合部を係合させて前記ねじ形コネクタが当該アタッチメントスリーブを介して前記ワンタッチ形コネクタに脱着可能にコネクタ連結される、
ことを特徴とするアタッチメントスリーブ。
【発明の詳細な説明】
【技術分野】
【０００１】
本発明は、同軸ケーブル等に連結される同軸コネクタの接続構造およびそれに用いるアタッチメントスリーブに関する。
【背景技術】
【０００２】
同軸コネクタ構造としては、コネクタ同士をねじ込み連結するねじ結合タイプ（例えば、特許文献１参照）と、コネクタ同士をバイヨネット式に差込連結するワンタッチ結合タイプ（JIS C 5412 C02 形コネクタ）が知られている。
【特許文献１】特開２００１−９３６２７号公報
【発明の開示】
【発明が解決しようとする課題】
【０００３】
ねじ結合タイプの同軸コネクタ接続構造は、ねじ結合構造のコネクタ（以下、ねじ形コネクタという）の外周に形成された雄ねじに相手側コネクタに備えられた接続スリーブを螺合する構造であるために連結強度が高く、外力が作用しやすい箇所での接続に有効となるものであるが、接続スリーブを何回も回転操作する必要があってコネクタ脱着に手間がかかるものである。
【０００４】
これに対して、ワンタッチ結合タイプのコネクタ接続構造はコネクタ脱着が簡単で取扱い性に優れたものであるが、ワンタッチ結合構造のコネクタ（以下、ワンタッチ形コネクタ）の両方が同タイプのコネクタの仕様である必要がある。
【０００５】
また、ねじ形コネクタとワンタッチ形コネクタをアダプタを介して接続することも行われているが、アダプタにはねじ形コネクタに対するねじ連結構造およびワンタッチ形コネクタに対するワンタッチ結合構造をそれぞれ備えるとともに、両コネクタの内外導体を導通接続する中継用の電気接続構造をアダプタ内に組込む必要があり、構造が複雑でコスト高になるきらいがあった。また、アダプタ内でねじ形コネクタの内外導体との接触導通部とワンタッチ形コネクタの内外導体との接触導通部がそれぞれ設けられるために電気的接続点が増えて、信号伝達性能や接続信頼性が低下するおそれがある。
【０００６】
本発明は、このような実情に着目してなされたものであって、ねじ結合タイプのコネクタに相手側コネクタを簡単容易に脱着することができるとともに、電気的中継手段を介在させることなく両コネクタを電気的に接続することができる同軸コネクタ接続構造を提供することを主たる目的とする。
【課題を解決するための手段】
【０００７】
第１の発明に係る同軸コネクタの接続構造は、雄ねじ部を有し当該雄ねじ部を介したねじ結合により着脱自在にコネクタ連結されるねじ形コネクタと、内周に溝または突起からなる係合部を有し当該係合部を介した係合により着脱自在にコネクタ連結されるワンタッチ形コネクタとが、互いにコネクタ接続される同軸コネクタの接続構造において、
・前記雄ねじ部に螺合する雌ねじ部をその内周に有するとともに、前記係合部に着脱自在に係合する被係合部をその外周に有するアタッチメントスリーブを備える、
・前記雄ねじ部に前記雌ねじ部を螺着させて前記アタッチメントスリーブが前記ねじ形コネクタに外嵌螺着される、
・前記ねじ形コネクタが、前記ワンタッチ形コネクタに内嵌される、
・前記係合部に前記被係合部が係合されて前記ねじ形コネクタが前記ワンタッチ形コネクタに脱着可能に連結される、
・両コネクタの電気接続点どうしが直接的に電気接続される、
という構成を備える。
【０００８】
この構成によると、ねじ形コネクタにねじ込み固定したアタッチメントスリーブに対してワンタッチ形コネクタをワンタッチ脱着することができるとともに、電気接続点どうしを直接的に電気接続する、すなわち、両コネクタの内外導体を直接に導通接触させることことで、電気接続点が増加することもない。
【０００９】
第２の発明は、上記第１の発明において、
・前記ワンタッチ形コネクタに回動自在に接続スリーブが設けられる、
・前記接続スリーブのスリーブ先端に、当該スリーブ先端に連続する鉤形の係合溝が設けられ、当該係合溝から前記係合部が構成される、
・前記アタッチメントスリーブの外周にスタッドが突設され、当該スタッドから前記被係合部が構成される、
・前記スタッドに前記係合溝を係合させることで両コネクタが連結される、
という構成をさらに備える。
【００１０】
この構成によると、コネクタ接続に際しては、スタッドを係合溝の開口に導入するようにワンタッチ形コネクタをねじ形コネクタに差し込んだ後、接続スリーブを少し回動させるとスタッドが係合溝の内奥に案内されて両コネクタが更に深く差し込まれ、両コネクタの分離方向への相対移動が阻止された連結状態となる。また、コネクタ分離に際しては、接続スリーブを逆方向に回動させることで、スタッドが係合溝の開口近くまで相対移動され、その後、ワンタッチ形コネクタをねじ形コネクタから抜き外すことができる。
【００１１】
第３の発明は、上記第１の発明において、
・前記ワンタッチ形コネクタの内周に、径方向に沿って弾性的に拡縮変形自在にテーパリングが装着保持され、当該テーパリングから前記係合部が構成される、
・前記ワンタッチ形コネクタに、コネクタ軸心方向に沿ってスライド可能に接続スリーブが設けられる、
・前記接続スリーブの内周に、当該接続スリーブのスライド移動により前記テーパリングに係合して当該テーパリングを拡縮させるテーパ面が設けられる、
・前記アタッチメントスリーブの外周に環状溝が形成され、当該環状溝から前記被係合部が構成される、
・前記テーパリングが縮径されて前記環状溝に係合されることで両コネクタが連結される、
・前記接続スリーブがスライド操作されて前記テーパリングに前記テーパ面が係合されて当該テーパリングが強制的に拡径変形されることで前記環状溝から離脱され、これにより両コネクタの連結が解除される、
という構成をさらに備える。
【００１２】
この構成によると、コネクタ接続に際しては、ワンタッチ形コネクタをねじ形コネクタに差し込むと、テーパリングのテーパ面がアタッチメントスリーブの端部に接触することで拡径変形されてアタッチメントスリーブの外周に乗り上がり上がる。差し込み限度に至るとテーパリングがアタッチメントスリーブ外周の環状溝に合致して弾性縮径し、ワンタッチ形コネクタの内周に係入保持されるテーパリングがアタッチメントスリーブの環状溝に係合されることで両コネクタの分離方向への相対移動が阻止された連結状態がもたらされる。また、コネクタ分離に際しては、接続スリーブをスライド操作すると、テーパリングのテーパ面が接続スリーブに押圧されることでテーパリングが強制的に拡径変形されて環状溝から離脱され、これにより、ワンタッチ形コネクタが、ねじ形コネクタから引き抜き移動可能となる。
【００１３】
第４の発明は、上記第１の発明において、
・前記ワンタッチ形コネクタに、コネクタ軸心方向に沿ってスライド可能に接続スリーブが設けられる、
・前記接続スリーブの先端部における周方向複数個所にコネクタ軸心方向への切り込みが形成されて接続スリーブ先端部が拡縮径変形可能に構成される、
・前記接続スリーブの内周に係合突起が設けられ、当該係合突起から前記係合部が構成される、
・前記アタッチメントスリーブの端部から前記被係合部が構成される、
・前記係合突起が前記アタッチメントスリーブの端部に係合されることで両コネクタが連結される、
・前記接続スリーブに操作スリーブが外嵌されるとともに、当該操作スリーブが、コネクタ軸心方向に沿って接続スリーブ先端部の拡径変形を阻止する前方位置と、接続スリーブ先端部の拡径変形を許容する後退位置とにスライド可能に取り付けられる、
・前記接続スリーブと前記操作スリーブとの間に、当該操作スリーブを前記前方位置に弾性的に安定保持する係止部が設けられる、
という構成をさらに備える。
【００１４】
この構成によると、コネクタ接続に際しては、操作スリーブを後退位置にスライドさせた状態でワンタッチ形コネクタをねじ形コネクタに差し込むと、接続スリーブ先端部がアタッチメントスリーブの端部に接触することで拡径変形されてアタッチメントスリーブの外周に乗り上がり上がる。差し込み限度に至ると接続スリーブ先端部の係合突起がアタッチメントスリーブの端部に到達して接続スリーブ先端部が弾性縮径し、係合突起がアタッチメントスリーブの端部に両コネクタの分離方向への相対移動が阻止された連結状態がもたらされる。この状態で操作スリーブを前進位置までスライドさせて係止部で位置保持することで接続スリーブ先端部の拡径変形を阻止する。これにより両コネクタの連結状態が保持される。また、コネクタ分離に際しては、先ず、操作スリーブを後退位置にスライドして接続スリーブ先端部の拡径変形を可能し、次に、ワンタッチ形コネクタを強く引き出すことで接続スリーブ先端部がアタッチメントスリーブの端部に押されて拡径変形され、そのままワンタッチ形コネクタを抜き出し移動させることが可能となる。
【００１５】
第５の発明は、上記第４の発明において、
前記係止部は、
・前記操作スリーブの内周に形成された環状溝と、
・前記環状溝に係入保持された弾性拡縮可能なバネリングと、
・接続スリーブの外周に形成されて、前記操作スリーブが前記前方位置にあるときに前記バネリングが縮径して係合する係合溝とを
備える。
【００１６】
この構成によると、操作スリーブが前方位置に操作されていると、操作スリーブの内周に係入保持されたバネリングは接続スリーブの環状溝にして操作スリーブを前方位置に保持する。また、操作スリーブを後退方向へ強く押すと、バネリングは浅く係合している係合溝から接続スリーブ外周に乗りあがり変形し、操作スリーブと共に後退位置に移動することになる。
【００１７】
また、本発明では、雄ねじ部を有し当該雄ねじ部を介したねじ結合により着脱自在にコネクタ連結されるねじ形コネクタと、内周に溝または突起からなる係合部を有し当該係合部を介した係合により着脱自在にコネクタ連結されるワンタッチ形コネクタとが、互いにコネクタ接続される際に、両コネクタの間に介装されるアタッチメントスリーブを、
・前記雄ねじ部に螺合する雌ねじ部をその内周に有する、
・前記係合部に着脱自在に係合する被係合部をその外周に有する、
・前記雄ねじ部に前記雌ねじ部を螺着させて当該アタッチメントスリーブが前記ねじ形コネクタに外嵌螺着される、
・前記ねじ形コネクタが、前記ワンタッチ形コネクタに内嵌される、
・前記係合部に前記被係合部を係合させて前記ねじ形コネクタが当該アタッチメントスリーブを介して前記ワンタッチ形コネクタに脱着可能にコネクタ連結される、
とを備えて構成する。
【発明の効果】
【００１８】
このように、本発明によれば、ねじ結合タイプのコネクタにワンタッチ形コネクタを簡単容易に脱着することができるとともに、電気接続介在物を設けることなく両コネクタを直接的に電気接続することができ、信号伝達性能および接続信頼性においても充分なものとなる。また、アタッチメントスリーブを導入することになるが、この部品は中継用の電気的接続構造を備えない単なる筒状の介在部品であるために、製作加工も容易で安価に実施できる実用上の利点もある。
【発明を実施するための最良の形態】
【００１９】
以下、本発明の実施例のいくつかを図面に基づいて説明する。
【００２０】
〔第１の実施の形態〕
図１〜図５に、本発明に係る同軸コネクタ接続構造の第１の実施の形態が示されている。
【００２１】
図において、１は各種の機器側に備えられるねじ形コネクタ、２は同軸ケーブル３の端部に装着されたワンタッチ形コネクタである。ねじ形コネクタ１の端部外周には雄ねじ部４が形成され、通常は、このねじ部４を利用してねじ形の相手側コネクタを連結するが、この例では、この雄ねじ部４を介してアタッチメントスリーブ５がねじ込み連結される。
【００２２】
アタッチメントスリーブ５の外周対角位置には１対のスタッド（突起）６が突設されるとともに、内周部にはねじ形コネクタ１の雄ねじ部４に螺合する雌ねじ部７が形成され、かつ、その内奥部にはパッキン材８が嵌入止着され、ねじ形コネクタ１への連結状態においてねじ込み部からコネクタ内部に水が進入することが阻止されるようになっている。スタッド６は、ワンタッチ形コネクタ連結用の被係合部として機能する。
【００２３】
ワンタッチ形コネクタ２には、同軸ケーブル３の図示されない外部導体に導通接続された筒状コンタクト１０と、同軸ケーブル３の内部導体１１が差し込み連結されたピン状の中心コンタクト１２とが絶縁カラ１３を介して同心状に備えられている。また、このワンタッチ形コネクタ２には、接続スリーブ１４が回動自在、かつ、コネクタ接続方向に小ストロークでスライド可能に外嵌装着されている。接続スリーブ１４は、バネ１５によって後退スライド付勢されている。ここでいう後退スライド付勢とは、接続スリーブ１４を、ワンタッチ形コネクタ２のコネクタ端部とは逆の方向（ケーブル奥側）に向けてケーブル軸心方向に沿って付勢することをいう。
【００２４】
接続スリーブ１４は、アタッチメントスリーブ５に外嵌する内径を備えるとともに、その外周対角位置には、係合部を構成する係合溝１６が形成されている。係合溝１６は、前方（コネクタ端部）に開口された１対の鉤形形状として形成されている。この係合溝１６は、アタッチメントスリーブ５のスタッド６を係入する幅に形成されるとともに、その奥側は屈曲形成されており、さらには奥端には前方側（コネクタ端部側）に少し入り込む凹部１６ａが形成されている。
【００２５】
本実施形態の同軸コネクタ接続構造は以上のように構成されており、その接続および分離操作について以下に説明する。
【００２６】
コネクタ接続に際しては、先ず、ねじ形コネクタ１に連結したアタッチメントスリーブ５のスタッド６を係合溝１６に導入しながらワンタッチ形コネクタ２をねじ形コネクタ１にコネクタ軸心方向に差し込んでゆく。スタッド６が係合溝１６の屈曲部に行き当たったところで接続スリーブ１４を係合溝屈曲方向と逆方向に数十度回転操作することでスタッド６を係合溝１６の奥側に案内する。係合溝１６の奥側はコネクタ軸心方向に対して後方に少し傾斜されており、接続スリーブ１４は、ばね１５に抗してスタッド６に対して相対的に前方（ワンタッチ形コネクタ２のコネクタ端部側）に動かされ、ねじ形コネクタ１に深く差し込まれてゆく。
【００２７】
ここで、ねじ形コネクタ１の内部には緩やかなテーパ孔１７が形成されるとともに、切り込み付きの筒状中心コンタクト１８が備えられており、上記差込に連れてワンタッチ形コネクタ２の筒状コンタクト１０および中心コンタクト１２がねじ形コネクタ１のテーパ孔１７および筒状中心コンタクト１８にそれぞれ嵌入接続されてゆく。これにより、両コネクタ１、２は、間に電気介在物を一切配置することなく互いに直接的に電気接続される。
【００２８】
スタッド６が係合溝１６の内奥に到達したところで接続スリーブ１４への操作を解除すると、接続スリーブ１４はバネ１５の付勢によって後方（ワンタッチ形コネクタのケーブル奥側）にスライド押圧されて、スタッド６は係合溝１６の内奥端において凹部１６ａに係入する。このスタッド６と凹部１６ａとの係合によって接続スリーブ１４が逆方向に勝手に回動することが阻止される。このようにして接続された両コネクタ１，２は、スタッド６と係合溝１６との係合によって分離方向への相対移動が阻止された連結状態となる。なお、このコネクタ接続状態では、ワンタッチ形コネクタ２における筒状コネクタの基部に装着したパッキン材１９がアタッチメントスリーブ５の端部で押圧されて防水が図られている。
【００２９】
また、コネクタ分離に際しては、接続スリーブ１４を逆方向に回動操作してスタッド６を係合溝１６の屈曲部まで相対移動させることでワンタッチ形コネクタをねじ形コネクタ１から抜き外すことができる。
【００３０】
〔第２の実施の形態〕
図６〜図１０に、本発明に係る同軸コネクタ接続構造の第２の実施の形態が示されている。
【００３１】
図において、１は各種の機器側に備えられるねじ形コネクタ、２は同軸ケーブル３の端部に装着されたワンタッチ形コネクタであり、第１の実施の形態と同様に、ねじ形コネクタ１の端部外周に形成した雄ねじ部４にアタッチメントスリーブ５がねじ込み連結される。
【００３２】
ねじ形コネクタ１は第１の実施の形態と同仕様であり、その内部にはテーパ孔１７および筒状中心コンタクト１８が備えられている。
【００３３】
本実施形態のアタッチメントスリーブ５の外周にはワンタッチ形コネクタ連結用の環状溝２１が形成されるとともに、内部にはねじ形コネクタ１の雄ねじ部４に螺合する雌ねじ部７が形成され、かつ、その内奥部にはパッキン材８が嵌入止着されている。環状溝２１は被係合部を構成する。
【００３４】
他方、ワンタッチ形コネクタ２には、第１の実施の形態と同様に、筒状コンタクト１０、同軸ケーブル３の内部導体１１が差し込み連結されたピン状の中心コンタクト１２が絶縁カラ１３を介して同心状に備えられている。また、このワンタッチ形コネクタ２の先端内周には環状の凹入段部２２が形成されている。凹入段部２２は、ワンタッチ形コネクタ２の先端内周を全周にわたって拡径処理することで段形状に形状される。
【００３５】
凹入段部２２にバネ材からなるテーパリング２３が係入保持されている。また、ワンタッチ形コネクタ２の外周には、接続スリーブ２４がコネクタ軸心方向に小ストロークでスライド可能に外嵌装着されている。
【００３６】
テーパリング２３は、図示されていないが、周方向一箇所において分断されて弾性的に拡縮変形可能に構成されており、その前端（ワンタッチ形コネクタ２のコネクタ先端側端部）に内向きにテーパ面Ｓ1が備えられている。テーパリング２３は係合部を構成する。
【００３７】
また、接続スリーブ２４の内周には、テーパリング２３のテーパ面Ｓ1に対向するテーパ面Ｓ2を備えたリング受け部２４ａが備えられている。リング受け部２４ａは、テーパリング２３の内周の端部に軸方向に延出する鍔形状に形成されており、テーパ面Ｓ2は、鍔形状を有するリング受け部２４ａの外周面に形成されている。
【００３８】
本実施形態の同軸コネクタ接続構造は以上のように構成されており、その接続および分離操作について以下に説明する。
【００３９】
コネクタ接続に際しては、先ず、アタッチメントスリーブ５を装着したねじ形コネクタ１にワンタッチ形コネクタ２を外嵌して差し込んでゆくと、図９に示すように、テーパリング２３がアタッチメントスリーブ５との接触によって拡径変形され、テーパリング２３がアタッチメントスリーブ５の外周に乗り上がった状態で差込みが進行してゆく。
【００４０】
差込み限度に到達するとテーパリング２３が環状溝２１に合致し、図６（ｂ）に示すように、テーパリング２３が弾性復元して元の径にまで縮径し、環状溝２１に係入する。これによってねじ形コネクタ１４に対してワンタッチ形コネクタ２の抜き出しが不能となる。
【００４１】
また、コネクタ分離に際しては、図１０に示すように、接続スリーブ２４を後方（ワンタッチ形コネクタ２のケーブル奥側）にスライド操作することで、リング受け部２４ａのテーパ面Ｓ2によって後方（ワンタッチ形コネクタ２のケーブル奥側）に押されるテーパリング２３は強制的に拡径変形されて環状溝２１から離脱され、この状態でワンタッチ形コネクタを後方（ワンタッチ形コネクタ２のケーブル奥側）に引くことでねじ形コネクタ１から抜き外すことができる。
【００４２】
〔第３の実施の形態〕
図１１〜図１３に、本発明に係る同軸コネクタ接続構造の第３の実施の形態が示されている。
【００４３】
図において、１は各種の機器側に備えられるねじ形コネクタ、２は同軸ケーブル３の端部に装着されたワンタッチ形コネクタであり、前述した各実施の形態と同様に、ねじ形コネクタ１の端部外周に形成した雄ねじ部４にアタッチメントスリーブ５がねじ込み連結される。
【００４４】
ねじ形コネクタ１は第１、第２の実施の形態と同仕様であり、その内部にはテーパ孔１７および筒状中心コンタクト１８が備えられている。
【００４５】
本実施形態のアタッチメントスリーブ５は単なる直胴状に形成され、内部にはねじ形コネクタ１の雄ねじ部４に螺合する雌ねじ部７が形成されるとともに、内奥部にはパッキン材８が嵌入止着されている。
【００４６】
他方、ワンタッチ形コネクタ２には、第１、第２の実施の形態と同様に、筒状コンタクト１０、同軸ケーブル３の内部導体１１が差し込み連結されたピン状の中心コンタクト１２が絶縁カラ１３を介して同心状に備えられている。また、このワンタッチ形コネクタ２の外周には、接続スリーブ２６がコネクタ軸心方向に小ストロークでスライド可能に外嵌装着されるとともに、バネ２７によって後退スライド付勢（ワンタッチ形コネクタ２のケーブル奥側に向けた付勢）されている。
【００４７】
図１３に示すように、接続スリーブ２６の前端部における周方向複数個所にはコネクタ軸心方向に深く切り込み２８が入れられて、接続スリーブ２６の前端部が弾性的に拡径変形可能に構成されるとともに、接続スリーブ２６の前端内周には係合突起２９が形成されている。
【００４８】
また、この接続スリーブ２６の外周には、操作スリーブ３０がコネクタ軸心方向にスライド自在に外嵌装着されている。そして、この操作スリーブ３０の内周に深く形成した環状溝３１に操作スリーブ３０の位置決めデテント用のバネリング３２が係入保持されるとともに、接続スリーブ２６の外周における前端寄り箇所には、バネリング３２を係合する浅く湾曲した係合溝３３が環状に形成されている。なお、バネリング３２は、その周方向一箇所において分断されて弾性的に拡縮変形可能に構成されている。
【００４９】
この例の同軸コネクタ接続構造は以上のように構成されており、その接続および分離操作について以下に説明する。
【００５０】
コネクタ接続に際しては、先ず、アタッチメントスリーブ５を装着したねじ形コネクタ１にワンタッチ形コネクタ２を外嵌して差し込んでゆく。この場合、図１１（ａ）に示すように、操作スリーブ３０をバネスプリング３２と共に後退位置（ワンタッチ形コネクタ２のケーブル奥側）にスライドしておく。この状態で、ワンタッチ形コネクタ２を差し込んでいくと、接続スリーブ２６の先端部がアタッチメントスリーブ５に接触して拡径変形され、係合突起２９がアタッチメントスリーブ５の外周に乗り上がった状態で差込みが進行してゆく。
【００５１】
差込み限度に到達するとワンタッチ形コネクタ２の係合突起２９がアタッチメントスリーブ５の端部から外れ、ワンタッチ形コネクタ２の先端部が弾性復元して元の径まで縮径し、係合突起２９がアタッチメントスリーブ５の端部に係合する。これによって、ワンタッチ形コネクタ２の抜き出しが不能となる。この状態で、図１１（ｂ）に示すように、操作スリーブ３０を、バネリング３２が係合溝３３に合致する前方位置（ワンタッチ形コネクタ２のコネクタ先端側位置）までスライド操作することで、バネリング３２が弾性復元して元の径まで縮径し、バネリング３２が係合溝３３に係合することで、操作スリーブ３０自体が前方位置から後退移動することに適度の抵抗が与えがられる。
【００５２】
また、コネクタ分離に際しては、図１１（ｂ）の連結状態から、先ず、操作スリーブ３０をバネリング３２と係合溝３３との係合力に打ち勝って後退位置（ワンタッチ形コネクタ２のケーブル奥側）までスライド操作することで、接続スリーブ２６の先端部を拡径変形可能な状態にする。この状態で、ワンタッチ形コネクタ２を、ねじ形コネクタから分離する方向に強く引くことで、接続スリーブ２６の先端部をアタッチメントスリーブ５に対して拡径変形させながらねじ形コネクタ１から抜き外す。
【００５３】
上述した第３の実施の形態の構成では、環状溝３１と、バネリング３２と、係合溝３３とから係止部が構成される。しかしながら、係止部としては、操作スリーブ３０の内周に、半径方向に変位自在かつ径方向内方にバネ付勢した転動体（ボール）を設け、この転動体を、接続スリーブ２６の外周に形成した係合溝に係合させることで形成することもできる。
【００５４】
〔変形例〕
図１４に示すように、機器側のコネクタ３５を、係合突起２９が係合可能な段部３６を備えたものにすれば、第３の実施の形態に示したワンタッチ形コネクタ２を利用したワンタッチ連結式の同軸コネクタ接続構造を構成することができる。
【図面の簡単な説明】
【００５５】
【図１】第１の実施の形態の同軸コネクタ接続構造の分離状態および接続状態を示す断面図。
【図２】ねじ形コネクタとアタッチメントスリーブを示す断面図。
【図３】ねじ形コネクタとアタッチメントスリーブを示す斜視図。
【図４】ワンタッチ形コネクタの平面図。
【図５】ワンタッチ形コネクタの斜視図。
【図６】第２の実施の形態の同軸コネクタ接続構造の分離状態および接続状態を示す断面図。
【図７】第２の実施の形態におけるねじ形コネクタとアタッチメントスリーブを示す断面図。
【図８】第２の実施の形態におけるねじ形コネクタとアタッチメントスリーブを示す斜視図。
【図９】第２の実施の形態における接続操作の途中状態を示す一部切欠き側面図。
【図１０】第２の実施の形態における分離操作初期状態を示す一部切欠き側面図。
【図１１】第３の実施の形態の同軸コネクタ接続構造の分離状態および接続状態を示す断面図。
【図１２】第３の実施の形態におけるねじ形コネクタとアタッチメントスリーブを示す断面図。
【図１３】第３の実施の形態におけるワンタッチ形コネクタの斜視図。
【図１４】第３の実施の形態を利用した変形例の同軸コネクタ接続構造の分離状態および接続状態を示す断面図。
【符号の説明】
【００５６】
１              ねじ形コネクタ
２              ワンタッチ形コネクタ
４              雄ねじ部
５              アタッチメントスリーブ
６              スタッド
７              雌ねじ部
１４            接続スリーブ
１６            係合溝
２１            環状溝
２３            テーパリング
２４            接続スリーブ
２８            切り込み
２９            係合突起
３０            操作スリーブ
３２            バネリング
【図１】
2006147272.tif 000003
【図２】
2006147272.tif 000004
【図３】
2006147272.tif 000005
【図４】
2006147272.tif 000006
【図５】
2006147272.tif 000007
【図６】
2006147272.tif 000008
【図７】
2006147272.tif 000009
【図８】
2006147272.tif 000010
【図９】
2006147272.tif 000011
【図１０】
2006147272.tif 000012
【図１１】
2006147272.tif 000013
【図１２】
2006147272.tif 000014
【図１３】
2006147272.tif 000015
【図１４】
2006147272.tif 000016